(57)【要約】      （修正有）【課題】洗浄以外の方法で、拭き取りアームを衛生的に保つことができる臀部拭き取り装置を提供する。【解決手段】臀部の水分を拭き取ることができる臀部拭き取り装置であって、紙６ａを取り付ける拭き取りアーム４と、拭き取りアーム４を駆動させる拭き取りアーム駆動部と、フィルム７ａで拭き取りアーム４の紙を取り付ける部分を覆うためのフィルム供給部７とを備える。フィルム７ａで拭き取りアーム４の紙を取り付ける部分を覆った上で、紙６ａが拭き取りアーム４に取り付けられる。フィルム７ａは、拭き取りアーム４に巻き付けられてもよいし、袋状又は筒状であってもよい。【選択図】図３
2016179003.tif 000002
【特許請求の範囲】
【請求項１】
臀部の水分を拭き取ることができる臀部拭き取り装置であって、
紙を取り付ける拭き取りアームと、
前記拭き取りアームを駆動させる拭き取りアーム駆動部と、
フィルムで前記拭き取りアームの前記紙を取り付ける部分を覆うためのフィルム供給部とを備え、
前記フィルムで前記拭き取りアームの前記紙を取り付ける部分を覆った上で、前記紙が前記拭き取りアームに取り付けられることを特徴とする、臀部拭き取り装置。
【請求項２】
前記フィルム供給部は、前記紙を取り付ける部分に前記フィルムを巻き付けることを特徴とする、請求項１に記載の臀部拭き取り装置。
【請求項３】
前記フィルム供給部は、袋状又は筒状のフィルムで前記紙を取り付ける部分を覆うことを特徴とする、請求項１に記載の臀部拭き取り装置。
【請求項４】
さらに、前記拭き取りアームの前記紙を取り付ける部分を上方から覆うカバー部を備えることを特徴とする、請求項１〜３のいずれかに記載の臀部拭き取り装置。
【請求項５】
前記カバー部によって、前記紙を取り付ける部分が上方から覆われた状態で、前記フィルムを取り外すことを特徴とする、請求項４に記載の臀部拭き取り装置。
【請求項６】
前記フィルムは、水溶性であることを特徴とする、請求項１〜５のいずれかに記載の臀部拭き取り装置。
【請求項７】
拭き取り後、排便又は排尿が前記拭き取りアームにかからない位置まで、前記拭き取りアームを退避させた状態で、前記フィルムを取り外すことを特徴とする、請求項１〜６のいずれかに記載の臀部拭き取り装置。
【請求項８】
紙を取り付けるための拭き取りアームを備える臀部拭き取り装置に用いられるフィルムカバーであって、前記拭き取りアームの前記紙を取り付ける部分を覆うように、袋状又は筒状になっていることを特徴とする、フィルムカバー。
【請求項９】
水溶性であることを特徴とする、請求項７に記載のフィルムカバー。
【発明の詳細な説明】
【技術分野】
【０００１】
本発明は、臀部を紙で拭き取るための装置に関する。
【背景技術】
【０００２】
従来、臀部拭き取り装置としては、特許文献１〜１０及び非特許文献１１に記載されている装置が知られていた。これらの臀部拭き取り装置において、トイレットペーパーを掴む部分を衛生的に保つ必要がある。この点に関して、特許文献９には、下記のように記載されている
「拭き取りアーム部内には、水又は温水が噴出するノズルが取り付けられており、紙が取り外された後、当該ノズルから水又は温水が噴出して、拭き取りアーム部を洗浄してもよい。内筐体内には、ドライヤーや紫外線照射装置が設けられており、拭き取りアーム部を乾燥させたり、殺菌させたりしてもよい。」
また、特許文献１０では、特許文献９をより発展させて、拭き取りアームにトイレットペーパーが取り付けられたことを検知する検知部を設けて、検知部によってトイレットペーパーが拭き取りアームに取り付けられていない待機状況であることが検知された場合、ドライヤー部は、先端部分に温風を吹き付けることとし、誤作動の防止を図っている。
【先行技術文献】
【特許文献】
【０００３】
【特許文献１】特開2012-172486号公報
【特許文献２】特開2011-062532号公報
【特許文献３】特開2011-144623号公報
【特許文献４】特開2011-143233号公報
【特許文献５】特開2011-200627号公報
【特許文献６】特開2009-263859号公報
【特許文献７】特開2009-061126号公報
【特許文献８】特開2014-94261号公報
【特許文献９】特許第4195076号公報  段落0124及び0125
【特許文献１０】特許第5653544号公報  段落0183及び請求項２
【発明の概要】
【発明が解決しようとする課題】
【０００４】
このように、従来、拭き取りアームにおけるトイレットペーパーを取り付ける部分（取付部）を洗浄したり、ドライヤーで乾燥させたりする技術は公開されている。しかし、取付部を洗浄するためには、拭き取りアームを防水仕様にしなければならないだけでなく、拭き取りアーム駆動部に水が浸入するのを防止したり、その他の電気回路に水が浸入するのを防止する機構を備えなければならない。
【０００５】
さらに、防水機構を備えていたとしても、水分で濡れた取付部を乾燥させるのには時間がかかる。そのため、洗浄以外の方法で、拭き取りアームを衛生的に保つ機構も、臀部拭き取り装置の実用化に際しては、考慮しておく必要がある。
【０００６】
それゆえ、本発明は、洗浄以外の方法で、拭き取りアームを衛生的に保つことができる臀部拭き取り装置を提供することを目的とする。
【課題を解決するための手段】
【０００７】
上記課題を解決するために、本発明は、以下のような特徴を有する。本発明は、臀部の水分を拭き取ることができる臀部拭き取り装置であって、紙を取り付ける拭き取りアームと、拭き取りアームを駆動させる拭き取りアーム駆動部と、フィルムで拭き取りアームの紙を取り付ける部分を覆うためのフィルム供給部とを備え、フィルムで拭き取りアームの紙を取り付ける部分を覆った上で、紙が拭き取りアームに取り付けられることを特徴とする。
【０００８】
好ましくは、フィルム供給部は、紙を取り付ける部分にフィルムを巻き付けるとよい。
【０００９】
好ましくは、フィルム供給部は、袋状又は筒状のフィルムで紙を取り付ける部分を覆うとよい。
【００１０】
好ましくは、さらに、拭き取りアームの紙を取り付ける部分を上方から覆うカバー部を備えるとよい。この場合、カバー部によって、紙を取り付ける部分が上方から覆われた状態で、フィルムを取り外すとよい。
【００１１】
好ましくは、フィルムは、水溶性であることとよい。
【００１２】
好ましくは、拭き取り後、排便又は排尿が拭き取りアームにかからない位置まで、拭き取りアームを退避させた状態で、フィルムを取り外すとよい。
【００１３】
また、本発明は、紙を取り付けるための拭き取りアームを備える臀部拭き取り装置に用いられるフィルムカバーであって、拭き取りアームの紙を取り付ける部分を覆うように、袋状又は筒状になっていることを特徴とする。好ましくは、フィルムカバーは、水溶性であるとよい。
【発明の効果】
【００１４】
拭き取りアームの紙を取り付ける部分をフィルムで覆った上で、紙が拭き取りアームに取り付けられることとなるので、臀部を拭き取った際の水分が拭き取りアームに付着するのが防止される。
【００１５】
拭き取りアームにフィルムを巻き付ける構成や、袋状又は筒状のフィルムを用いる構成の場合、簡易な機構で、フィルムによる被覆を実現することができる。
【００１６】
カバー部を設ければ、拭き取りアームの紙を取り付ける部分が上方から覆われた状態で、フィルムを取り外すことができ、拭き取り後に、万が一、排便や排尿がなされたとしても、拭き取りアームが汚染することはない。
【００１７】
フィルムを水溶性にしておけば、フィルムをそのまま水洗トイレに流すことができる。
【００１８】
拭き取り後、排便又は排尿が拭き取りアームにかからない位置まで、拭き取りアームを退避させた状態で、フィルムを取り外せば、拭き取り後に、万が一、排便や排尿がなされたとしても、拭き取りアームが汚染することはない。
【００１９】
本発明で用いる袋状又は筒状のフィルムカバーは、拭き取りアームの被服を確実なものとし、衛生的に保つために貢献する。
【００２０】
このように、本発明によれば、洗浄以外の方法で、拭き取りアームを衛生的に保つことが可能となる。
【００２１】
本発明のこれら、及び他の目的、特徴、局面、効果は、添付図面と照合して、以下の詳細な説明から一層明らかになるであろう。
【図面の簡単な説明】
【００２２】
【図１】図１は、本発明の一実施形態に係る臀部拭き取り装置１の機能的構成を示すブロック図である。
【図２】図２は、臀部拭き取り装置１の内部構造を示す外観斜視図である。
【図３】図３は、フィルムカバー７ａ及び紙６ａが取り付けられる様子を示す図である。
【図４】図４は、臀部拭き取り装置１の他の実施形態の機能的構成を示すブロック図である。
【図５】図５は、図４に示す臀部拭き取り装置１を用いて、フィルムカバー７ａ及び紙６ａが取り付けられる様子を示す図である。
【図６】図６は、図４に示す臀部拭き取り装置１を用いて、フィルムカバー７ａ及び紙６ａが取り付けられる様子を示す図である。
【図７】図７は、実施形態の動作をまとめたフローチャートである。
【発明を実施するための形態】
【００２３】
図１は、本発明の一実施形態に係る臀部拭き取り装置１の機能的構成を示すブロック図である。図２は、臀部拭き取り装置１の内部構造を示す外観斜視図である。臀部拭き取り装置１は、制御部２と、拭き取りアーム駆動部３と、拭き取りアーム４と、操作部５と、給紙部６と、水溶性フィルム供給部７と、カバー部９とを備える。使用者による操作部５の指示に応じて、制御部２は、各機能部の動作を制御する。
【００２４】
拭き取りアーム駆動部３は、レールやモータ等によって構成されており、拭き取りアーム４を前後、左右、上下等、拭き取りが可能な方向に移動させることができる。なお、図２に示すような拭き取りアーム駆動部４の構成は一例に過ぎず、本発明を限定するものではない。また、本発明においては、拭き取りアーム駆動部４の動作機構は、本質的事項ではないため、詳細な説明は省略する。補高部１１の上に便座が載置される。拭き取りアーム駆動部４は、補高部１１に設けられた開口１２から拭き取りアーム４を露出させる。
【００２５】
給紙部６は、ロール状のトイレットペーパーを自動で折りたたみ、切断して、切断した紙を拭き取りアーム４に供給する。その他、給紙部６は、予め切断された紙や臀部拭き取り装置専用の紙を拭き取りアーム４に供給してもよい。
【００２６】
水溶性フィルム供給部７は、水溶性のフィルムで形成されたカバーを水溶性フィルム取付部４ｂに供給して、拭き取りアーム４の先端をフィルムで覆うための装置である。水溶性フィルムとしては、日本合成化学工業株式会社（大阪府大阪市）から提供されているポリビニルアルコールを原料とした水溶性フィルムなどが利用可能である。ただし、本発明を限定するものではない。また、後述のように、ポータブルトイレに使用する場合もあり、必ずしも衛生面という観点だけであれば、水溶性フィルムである必要はなく、水溶性フィルム供給部７は、フィルムによるカバーを供給するフィルム供給装置であればよい。
【００２７】
水溶性フィルム供給部７は、図３の実施形態に示すケースでは、ロール状の水溶性フィルムを拭き取りアーム４の先端に巻き付けて、切断することによって、フィルムカバー７ａを拭き取りアーム４に供給する。また、水溶性フィルム供給部７は、図５の実施形態に示すケースでは、袋状水溶性フィルムによるフィルムカバー７ａを拭き取りアーム４の先端に挿入して、フィルムカバー７ａを拭き取りアーム４に供給する。なお、フィルムカバー７ａは、袋状だけでなく、筒状であってもよい。その他、フィルムカバーを拭き取りアーム４に供給するための具体的な方法は、本発明を限定するものではない。
【００２８】
拭き取りアーム４は、紙取付部４ａと、水溶性フィルム取付部４ｂとを含む。拭き取りアーム４は、給紙部６から供給される紙を紙取付部４ａに取り付ける。紙取付部４ａは、開閉手段によって紙を挟んだり、クリッピングしたり、掴んだり、貼り付けたりするなどして、紙を拭き取りアーム４に取り付けることができる。紙取付部４ａの具体的な構造は本発明を限定するものではない。
【００２９】
水溶性フィルム取付部４ｂは、水溶性フィルム供給部７から供給される水溶性フィルムを取り付ける。水溶性フィルム取付部７は、開閉手段によって紙を挟んだり、クリッピングしたり、掴んだり、貼り付けたりするなどして、紙を拭き取りアーム４に取り付けることができる。水溶性フィルム取付部４ｂの具体的な構造は本発明を限定するものではない。
【００３０】
カバー部９は、図２では図示を省略しているが、開口１２の上方に設けられた板状などの部材であり、拭き取りアーム４による臀部の拭き取り後、カバー部９が拭き取りアーム４の上に位置して、拭き取りアーム４が拭き取り後の予期せぬ排せつや放尿等によって汚染するのをカバーするための装置である。たとえば、板状の部材をある一点を支点に回動させることによって、カバー部９が開口１２の上から、便座の穴の部分の一部を覆うようにするが、具体的な構造は、本発明を限定するものではない。
【００３１】
図３は、フィルムカバー７ａ及び紙６ａが取り付けられる様子を示す図である。図３（ａ）では、水溶性フィルム供給部７は、ロール状の水溶性フィルムを、二本の棒状部材７，７が矢印Ａ方向にある軸を中心に回転して、拭き取りアーム４の先端に水溶性フィルム７ａを巻き付け、その後、矢印Ｂの方向に、二本の棒状部材７，７が後退する様子を示している。これによって、図３（ｂ）に示すように、拭き取りアーム４の先端に、水溶性フィルムによるフィルムカバー７ａが配置されることなる。
【００３２】
水溶性フィルム取付部４ｂは、開閉手段によって、フィルムカバー７ａを挟むことができるようになっている。なお、水溶性フィルム供給部７には、開閉手段にフィルムカバー７ａを少し押し込むための手段が別途設けられている（図示せず）。図３（ｃ）に示すように、水溶性フィルム取付部４ｂが閉じて、フィルムカバー７ａを挟むことで、拭き取りアーム４へのフィルムカバー７ａの取付が行われる。
【００３３】
同様に、紙取付部４ａは、開閉手段によって、紙６ａを挟むことができるようになっている。なお、給紙部６には、開閉手段に紙６ａを少し押し込むための手段が別途設けられている（図示せず）。図３（ｄ）に示すように、紙取付部４ａが閉じて、紙６ａを挟むことで、拭き取りアーム４への紙６ａの取付が行われる。
【００３４】
このようにして、フィルムカバー７ａ及び紙６ａが取り付けられた状態で、臀部の水分の拭き取りが行われる。なお、事前に、温水洗浄装置を用いて、臀部は水又は温水で洗浄されている。拭き取りが完了したら、紙取付部４ａが開き、紙６ａが拭き取りアーム駆動部３による動作によって、落下させられる。この時点では、まだ、フィルムカバー７ａが拭き取りアーム４の先端に取り付けられているので、仮に、誤って、この時点で排便がなされたり、排尿がなされたりしたとしても、直接、拭き取りアーム４にこれら汚物が付着することはない。また、臀部に付着した水分が多すぎて、紙６ａに多量の水分が付着したとしても、フィルムカバー７ａが設けられているので、直接、拭き取りアーム４に汚染した水分が付着するのが防止される。このようにして、拭き取りアーム４は、衛生的な状態に保たれることなる。
【００３５】
拭き取りアーム駆動部３は、排便や排せつが行われない場所まで、拭き取りアーム４を退避させる。カバー部９が出てきて、拭き取りアーム４の先端を上方から覆った状態で、水溶性フィルム取付部４ｂの開閉手段による締め付けが解かれ、拭き取りアーム４による動作によって、フィルムカバー７ａが落下させられる。その後、拭き取りアーム駆動部３は、拭き取りアーム４を待機位置に戻す。
【００３６】
図４は、臀部拭き取り装置１の他の実施形態の機能的構成を示すブロック図である。図５及び図６は、図４に示す臀部拭き取り装置１を用いて、フィルムカバー７ａ及び紙６ａが取り付けられる様子を示す図である。
【００３７】
図４において、臀部拭き取り装置１は、水溶性フィルム取り外し部８を設けることとしている。また、図５に示すように、フィルムカバー７ａは、袋状の水溶性フィルムであるとしているので、図１と異なり、拭き取りアーム４に、水溶性フィルム取付部４ｂを設けない構成としているが、図１と同様に、拭き取りアーム４に、水溶性フィルム取付部４ｂを設けてもよい。なお、筒状のフィルムカバーが用いられてもよい。
【００３８】
図５（ａ）に示すように、水溶性フィルム供給部７には、フィルムカバー７ａがスタンバイされている。フィルムカバー７ａの一方の開口を開けるために、水溶性フィルム供給部７には、二枚の板状部材７ｂ，７ｂが開口に挿入されている。二枚の板状部材７ｂ，７ｂの間に、拭き取りアーム４の先端が矢印方向に挿入される。図５（ｂ）は、挿入後の図である。その後、板状部材７ｂ，７ｂが、図５（ｃ）に示す矢印の方向に退行するこれにより、図５（ｄ）に示すように、フィルムカバー７ａが拭き取りアーム４の先端に挿入されることとなる。
【００３９】
図６（ａ）に示すように、給紙部６によって、紙６ａが紙取付部４ａの上に載置される。なお、給紙部６には、開閉手段に紙６ａを少し押し込むための手段が別途設けられている（図示せず）。その後、紙取付部４ａが閉じて、図６（ｂ）に示すように、紙６ａが拭き取りアーム４に取り付けられる。このとき、一緒にフィルムカバー７ａも紙取付部４ａに掴まれることとなる。
【００４０】
このようにして、拭き取りアーム４にフィルムカバー７ａと紙６ａが取り付けられた状態で、拭き取りアーム駆動部３によって、臀部の拭き取り位置まで、拭き取りアーム４が移動させられて、拭き取り動作が行われる。拭き取り後、拭き取りアーム駆動部３は、誤った排便や排尿によって拭き取りアーム４が汚染しない箇所まで、拭き取りアーム４を移動する。その位置で、制御部２によって、カバー部９が移動させられて、拭き取りアーム４の上方が覆われて、誤った排便や排尿がかからないようになる。その状態で、紙取付部４ａが締め付けを解除し、さらに、拭き取りアーム駆動部３によって、拭き取りアーム４が斜め下方に向くように移動し、紙６ａとフィルムカバー７ａが落下する。なお、図６（ｃ）に示すように、袋状のフィルムカバー７ａがうまく落下しない可能性もあるので、水溶性フィルム取り外し部８がフィルムカバー７ａを矢印の方向に押すように駆動して、フィルムカバー７ａを取り外すようにする。なお、フィルムカバー７ａが自然落下する程度の大きさとしておけばよいので、水溶性フィルム取り外し部８は必須構成ではない。
【００４１】
図７は、上記二つの実施形態の動作をまとめたフローチャートである。まず、フィルムカバー７ａが取り付けられ（ステップＳ１０）、次に、紙６ａが取り付けられ（ステップＳ１１）、拭き取り動作が行われる（ステップＳ１２）。拭き取りが完了すると、紙６ａが取り外されて（ステップＳ１３）、カバー部９が駆動して拭き取りアーム４を覆った状態で（ステップＳ１４）、フィルムカバー７ａが取り外され（ステップＳ１５）、拭き取りアーム駆動部３が拭き取りアーム４を収納して（ステップＳ１６）、次の拭き取り動作まで待機することとなる。なお、ステップＳ１３とＳ１４は前後してもよい。すなわち、カバー部９が駆動して拭き取りアーム４の汚染を防止する状態にした上で、紙６ａとフィルムカバー７ａとが取り外されてもよい。
【００４２】
このように、本実施形態では、拭き取りアームをフィルムカバーで覆った上で、紙が取り付けられることとなる。よって、拭き取りアームに、直接、拭き取り時の水分が付着することが防止されるので、拭き取りアームが衛生的に保たれることとなる。また、フィルムカバーが取り付けられた状態で、拭き取りアームは、排便や排尿がかからない位置まで退避してから、フィルムカバーを取り外すこととなるので、拭き取り後に、排便や排尿がなされたとしても、拭き取りアームの汚染が防止されることとなる。特に、カバー部の下で、フィルムカバーを取り外せば、さらに、拭き取りアームの汚染が防止されることとなる。
【００４３】
なお、上記実施形態では、拭き取りアーム４の先端をフィルムで覆う方法として、フィルムを先端に巻き付ける方法、袋状又は筒状のフィルムカバーを先端にセットする方法を例示したが、先端をフィルムで覆う方法であれば、これらに限られるものではない。たとえば、先端よりも大きいシート状のフィルムで先端を覆ってもよいし、４辺の内、２編がシールされているような袋状のフィルムで先端を覆ってもよい。本発明では、拭き取りアーム４の先端をフィルム（好ましくは、水溶性フィルム）で覆った上で、紙を取り付けることができるのであれば、具体的な機構には限定されない。
【００４４】
なお、近年、寝室などで使用できるポータブルタイプのトイレが普及しており、温水洗浄機能を備えたポータブルトイレも普及してきている。そのため、本発明は、ポータブルタイプのトイレにも使用可能である。ポータブルトイレで使用する場合、排泄物は、通常は、バケツに溜められて水洗トイレに流されることとなるので、フィルムカバーは水溶性であるのが好ましいが、排泄物をごみとして廃棄する場合は、フィルムカバーは水溶性である必要はない。よって、本発明のフィルムカバーは、水溶性であることに限定されるものではない。
【００４５】
なお、拭き取りアームに自動で紙を取り付けるだけでなく、手動で紙を取り付ける実施形態も本発明に含まれる。手動で紙を取り付ける形態の場合、使用者がフィルムカバー及び紙を拭き取りアームに取り付けるとよい。
【００４６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００４７】
本発明は、臀部拭き取り装置であり、産業上利用可能である。
【符号の説明】
【００４８】
１  臀部拭き取り装置
２  制御部
３  拭き取りアーム駆動部
４  拭き取りアーム
４ａ  紙取付部
４ｂ  水溶性フィルム取付部
５  操作部
６  給紙部
７  水溶性フィルム供給部
８  水溶性フィルム取り外し部
９  カバー部
１１  補高部
１２  開口
【図１】
2016179003.tif 000003
【図２】
2016179003.tif 000004
【図３】
2016179003.tif 000005
【図４】
2016179003.tif 000006
【図５】
2016179003.tif 000007
【図６】
2016179003.tif 000008
【図７】
2016179003.tif 000009